(57)【要約】      （修正有）【課題】水中用照明装置に好適に用いることのできる調光器具を提供する。【解決手段】筐体５１を有する照明装置から出る光を調光する調光手段２と、前記筐体５１に取り付けるための取付手段と、を備える。調光手段２は、光源５２の中央付近から放たれる中広角配光Ｂを遮蔽することにより集光させる集光手段２１を含むことを特徴とする、調光器具１。【選択図】図３
2019117755.tif 000002
【特許請求の範囲】
【請求項１】
筐体を有する照明装置から出る光を調光する調光手段と、
前記筐体に取り付けるための取付手段と、
を備え、
前記調光手段は、光源の中央付近から放たれる中広角配光を遮蔽することにより光線を集光させる集光手段を含むことを特徴とする、調光器具。
【請求項２】
前記集光手段は、
前記光源の中央付近から放たれる中広角配光を遮蔽する遮蔽部と、
該遮蔽部を保持する枠部と、
前記枠部と前記遮蔽部とを連結する一又は二以上の支持部と、
を有し、
前記支持部は、前記遮蔽部が前記枠部略中央に位置するよう、かつ前記遮蔽部と前記枠部とが略同一平面内に位置するよう、前記枠部と遮蔽部とを連結していることを特徴とする、請求項１に記載の調光器具。
【請求項３】
さらに、前記集光手段の着脱を可能とする着脱手段を備え、
前記着脱手段が、前記集光手段と前記取付手段とを連結するフリップアップ式の着脱手段を含むことを特徴とする、請求項１又は２に記載の調光器具。
【請求項４】
さらに、前記集光手段を含む二以上の調光手段を備え、
各調光手段が、フリップアップ式の着脱手段により前記取付手段とそれぞれ連結されていることを特徴とする請求項３に記載の調光器具。
【請求項５】
前記調光手段若しくは前記取付手段の何れか一方に、角柱部が設けられ、
他方に、バネ材を含む押し子が設けられ、
前記着脱手段は、前記押し子が前記角柱部の壁面を押し込むことができる位置に、該角柱部を回動可能に保持する手段であり、
前記角柱部の壁面を押し子が押込むことにより、前記調光手段の位置を固定することを特徴とする、請求項３又は４に記載の調光器具。
【請求項６】
筐体を有する照明装置から出る光を調光する一又は２以上の調光手段を備える調光器具であって、
前記筐体に取り付けるための取付手段と、
前記調光手段の着脱を可能とする着脱手段と、
を備え、
前記調光手段若しくは前記取付手段の何れか一方に、角柱部が設けられ、
他方に、バネ材を含む押し子が設けられ、
前記着脱手段は、前記押し子が前記角柱部の壁面を押し込むことができる位置に、該角柱部を回動可能に保持するよう、前記各調光手段と前記取付手段とを連結するフリップアップ式の着脱手段であり、
前記角柱部の壁面を押し子が押し込むことにより、前記調光手段の位置を固定することを特徴とする、調光器具。
【請求項７】
ネジ穴が設けられた筐体を有する照明装置に取り付けられる調光器具であって、
前記取付手段が、
前記調光手段を保持する保持部と、
ネジ部と、
前記保持部と前記ネジ部との間に位置する固定部材と、
該固定部材をネジ部方向に押し込む押込手段と、
を有し、
前記押込手段により前記固定部材を前記ネジ部方向に押し込むことにより、ネジ穴が設けられた照明装置に取り付けた調光器具の回動を固定することを特徴とする、請求項１〜６の何れか１項に記載の調光器具。
【発明の詳細な説明】
【技術分野】
【０００１】
本発明は調光器具に関する。
【背景技術】
【０００２】
スクーバダイビング等のアクティビティを通して、水中環境下の生物、自然物、等の写真を撮影することが広く行われている。水中環境下の生物、自然物、等の写真を撮影するときには、撮影機材と併用して照明装置が用いられる。
【０００３】
水中環境下で用いられる水中用照明装置には、被写体となる魚等を探すときには広い範囲を照らす光線、魚等を指し示すときには狭い範囲を照らす輪郭のはっきりした光線が求められる。
【０００４】
輪郭のはっきりした光線を出す手法としては、光源から照射される中広角の光線を遮断することにより集光させる手法が知られている。例えば、非特許文献１には、光源近傍に反射板を設けるよう構成された調光器具が開示されている。
【０００５】
また、ダイバーは重器材、軽器材、残圧計、水深計、コンパス等の多種の機器を保持した状態で潜水を行うため、潜水時に持ち込む器材の点数は可能な限り減らす必要があった。潜水時に持ち込む器材の点数を可能な限り減らす観点から、水中環境下での撮影に用いられる水中用照明装置には、一つの水中用照明装置から複数種の光線の照射を可能とする手法が求められていた。
【０００６】
一つの水中用照明装置から複数種の光線の照射を可能とする手法としては、フリップアップ式の着脱手段を備える形態とする手法が知られている。例えば、非特許文献２には、カラーフィルターを備えるフリップアップ式の着脱手段を備えた調光器具が開示されている。
なお、非特許文献２に記載のフィルターセットは、ワンタッチで勢いよく開くフリップアップ構造である（非特許文献２  参照）。
【先行技術文献】
【非特許文献】
【０００７】
【非特許文献１】「アパレルホワイト−電源内蔵グレアレススポットライト」、［ｏｎｌｉｎｅ］、株式会社  遠藤照明、［平成２９年１２月２７日検索］、インターネット〈ＵＲＬ：http://www.endo-ledz.jp/products/apparelwhite/glarelessspotlight/〉
【非特許文献２】「SUREFIRE (シュアファイア) FM70 1.125インチ or 1インチ ベゼル対応 フィルターアッセンブリー」、［ｏｎｌｉｎｅ］、株式会社アカリセンター、［平成２９年１２月２７日検索］、インターネット〈ＵＲＬ：http://www.akaricenter.com/led_light/surefire/fm70.htm〉
【発明の概要】
【発明が解決しようとする課題】
【０００８】
前述の非特許文献１の調光器具は、レールライトに嵌め込み使用する調光器具であるため水中での使用には適さなかった。また、筐体に必ず防水ガラス（透明な防水壁）を設けなくてはいけない水中用照明装置（図４  参照）には、光源近くに遮蔽部が位置するよう構成された非特許文献１に記載の調光器具を用いることができなかった。
【０００９】
また、水中環境下では身体の動きが地上のものとは異なるため、水中環境下においても確実に調光手段の切替えを行うことができ、操作の確実性に優れる調光器具が求められていた。ここで、前述の非特許文献２の調光器具はワンタッチで勢いよく開くフリップアップ構造の調光器具であるため、操作の確実性が求められる水中用照明装置には適さなかった。
【００１０】
以上のとおり、水中用照明装置に好適に用いることのできる調光器具は従来存在していなかった。
【００１１】
上記事情に鑑みなされた本発明は、水中用照明装置に好適に用いることのできる集光手段を備えた調光器具を提供することを課題とする。
また、本発明の好ましい形態では、一の水中用照明装置から複数種の光線の切替えを可能とする調光器具を提供することを課題とする。
【課題を解決するための手段】
【００１２】
上記事情に鑑みなされた本発明は、
筐体を有する照明装置から出る光を調光する調光手段と、
前記筐体に取り付けるための取付手段と、
を備え、
前記調光手段は、光源の中央付近から放たれる中広角配光を遮蔽することにより集光させる集光手段を含むことを特徴とする、調光器具である。
【００１３】
本発明によれば、筐体に取り付けるための取付手段を備えているため、調光器具の取り外しをすることができる。
また、本発明は、筐体に取り付けるための取付手段を備えているため、水中環境下でも調光器具が照明装置から脱落しにくい。そのため、本発明は、水中用照明装置に好適に用いることができる。
また本発明によれば、光源の中央付近から放たれる中広角配光を遮蔽することにより集光させる集光手段を含むため、照明装置そのものが備える光線と、集光手段を装着した形態での狭い範囲を照射する光線とを、切替えることができる。
【００１４】
本発明の好ましい実施の形態では、
前記集光手段は、
前記光源の中央付近から放たれる中広角配光を遮蔽する遮蔽部と、
該遮蔽部を保持する枠部と、
前記枠部と前記遮蔽部とを連結する一又は二以上の支持部と、
を有し、
前記支持部は、前記遮蔽部が前記枠部略中央に位置するよう、かつ前記遮蔽部と前記枠部とが略同一平面内に位置するよう、前記枠部と遮蔽部とを連結している。
このような形態の集光手段を備える調光器具は、支持部が遮蔽部と前記枠部とが略同一平面内に位置するよう枠部と遮蔽部とを連結しているため、筐体に必ず防水ガラス（透明な防水壁）を設けなくてはいけない照明装置（要すれば  図４  参照）に特に好適に用いることができる。
【００１５】
また、本発明の好ましい実施の形態では、前記調光器具が、さらに、前記集光手段の着脱を可能とする着脱手段を備え、
前記着脱手段が、前記集光手段と前記取付手段とを連結するフリップアップ式の着脱手段である。
このような形態の調光器具によれば、集光手段と取付手段とを連結するフリップアップ式の着脱手段を備えるため、照明装置そのものが備える広い範囲を照射する光線と、集光手段を装着した形態での狭い範囲を照射する光線とを、より簡便に切替えることができる。
このような形態の調光器具によれば、着脱手段がフリップアップ式であるため、水中においても簡便に調光手段の切替えを行うことができる。
【００１６】
また、本発明の好ましい実施の形態は、
前記集光手段を含む二以上の調光手段を備え、
各調光手段が、フリップアップ式の着脱手段により前記取付手段とそれぞれ連結されていることを特徴とする調光器具である。
このような形態の調光器具によれば、二以上の調光手段がフリップアップ式の着脱手段により取付手段とそれぞれ連結されているため、より多くの光線の切替えをより簡便に行うことができる。
【００１７】
また、本発明の好ましい形態は、
前記調光手段若しくは前記取付手段の何れか一方に、角柱部が設けられ、
他方に、バネ材を含む押し子が設けられ、
前記着脱手段は、前記押し子が前記角柱部の壁面を押し込むことができる位置に、該角柱部を回動可能に保持する手段であり、
前記角柱部の壁面を押し子が押し込むことにより、前記調光手段の位置を固定することを特徴とする、フリップアップ式の着脱手段を備える調光器具である。
このような形態の調光器具は、調光手段の位置を固定することができるため、身体の動きが地上のものとは異なる水中環境下においても確実に調光手段の切替えを行うことができ、操作の確実性に優れる。
【００１８】
また、本発明は、
筐体を有する照明装置から出る光を調光する一又は２以上の調光手段を備える調光器具であって、
前記筐体に取り付けるための取付手段と、
前記調光手段の着脱を可能とする着脱手段と、
を備え、
前記調光手段若しくは前記取付手段の何れか一方に、角柱部が設けられ、
他方に、バネ材を含む押し子が設けられ、
前記着脱手段は、前記押し子が前記角柱部の壁面を押し込むことができる位置に、該角柱部を回動可能に保持するよう、前記各調光手段と前記取付手段とを連結するフリップアップ式の着脱手段であり、
前記角柱部の壁面を押し子が押込むことにより、前記調光手段の位置を固定することを特徴とする調光器具でもある。
このような形態の調光器具は、調光手段の位置を固定することができるため、身体の動きが地上のものとは異なる水中環境下においても確実に調光手段の切替えを行うことができ、操作の確実性に優れる。
【００１９】
また、本発明の好ましい形態では、
前記取付手段が、
前記調光手段を保持する保持部と、
ネジ部と、
前記保持部と前記ネジ部との間に位置する固定部材と、
該固定部材をネジ部方向に押し込む押込手段と、
を有し、
前記押込手段により前記固定部材を前記ネジ部方向に押込むことにより、ネジ穴が設けられた照明装置に取り付けた調光器具の回動を固定することを特徴とする調光器具でもある。
このような形態の調光器具によれば、ネジ穴の程度の異なる照明装置に対しても調光器具を所望の位置で固定することができる。
【発明の効果】
【００２０】
本発明によれば、水中用照明装置に好適に用いることのできる集光手段を備えた調光器具を提供することができる。
また、本発明の好ましい形態によれば、一の水中用照明装置から複数種の光線の照射を可能とする調光器具を提供することができる。
【図面の簡単な説明】
【００２１】
【図１】（ａ）  本実施例の調光器具を示す図である。（ｂ）  図１（ａ）のＡ-Ａ断面図を示す図である。
【図２】（ａ）  調光手段が半脱状態である形態を示す図である。（ｂ）  図２（ａ）のＢ-Ｂ断面図を示す図である。
【図３】本実施例の集光手段の機能を示す参考模式図である。
【図４】調光器具を水中用照明装置に取り付ける態様を示す参考図である。
【図５】取付手段を示す参考模式図である。
【図６】調光器具の参考模式図である。
【図７】着脱機構を示す参考図である。
【発明を実施するための形態】
【００２２】
以下、本実施例の調光器具１について説明するが、本発明の技術的範囲は実施例に限定されないことは言うまでもない。
【００２３】
本実施例の調光器具１は、筐体５１を有する水中用照明装置５から出る光を調光する調光手段２と、筐体５１に取り付けるための取付手段３と、を備える（図１〜図３  参照）。
【００２４】
以下、調光手段２について図１〜図３を用いて詳細に説明する。
【００２５】
本明細書において、調光手段２は、光源５２から照射される光線を調光することのできる手段をいう。調光手段２としては、例えば、筐体５１を有する水中用照明装置５から出る光を集光する集光手段２１、筐体５１を有する水中用照明装置５から出る光を拡散する拡散手段２２（ディフューザー等）、筐体５１を有する水中用照明装置５から出る光の色相を変更する色相変更手段（カラーフィルター等）、筐体５１を有する水中用照明装置５から出る光の色温度を変化させる色温度変化手段（コンバージョンフィルター等）、等を好ましく挙げることができる。
【００２６】
本実施例において、調光器具１は集光手段２１及び拡散手段２２を備える（図１、図２  参照）。
このような形態とすることで、集光手段２１を適用することによる輪郭のはっきりした光線、拡散手段２２を適用することによる広い範囲を照らす光線、及び調光手段２を適用しないことによる水中用照明装置５が備える光線、の三種の光線を照射することのできる水中用照明装置５を提供することができる。
【００２７】
なお、使用者の用途、目的に応じて任意の調光手段２を備える形態とすることができる。また、調光器具１が備える調光手段２の数にも特に制限はなく、１又は２以上の調光手段２を備える形態とすることができる。
【００２８】
本実施例において、集光手段２１は、光源５２の中央付近から放たれる中広角配光Ｂを遮蔽することにより光線を集光させる手段である（図３  参照）。
【００２９】
図１、図２に示すように、集光手段２１は、光源５２の中央付近から放たれる中広角配光Ｂを遮蔽する遮蔽部２１１と、該遮蔽部２１１を保持する枠部２１２と、枠部２１２と遮蔽部２１１とを連結する３つの支持部２１３と、を有する。
【００３０】
集光手段２１が有する支持部２１３は、遮蔽部２１１が枠部２１２略中央に位置するよう枠部２１２と遮蔽部２１１とを連結している（図３  参照）。
このような形態とすることで、光源５２の中央付近から放たれる中広角配光Ｂを遮蔽し、スポットビーム光Ａのみを照射させることができるため、輪郭のはっきりした光線を得ることができる（図３  参照）。
【００３１】
また、図１（ｂ）、図２（ｂ）に示すように、支持部２１３は、遮蔽部２１１と枠部２１２とが略同一平面内に位置するよう、遮蔽部２１１と枠部２１２とを連結している。
このような形態であることで、水中用照明装置５の防水ガラス５３（透明な防水壁）に遮蔽部２１１が接触しない。そのため、このような形態である調光器具１は、水中用照明装置５により好適に適用することができる。
【００３２】
また、集光手段２１は３つの支持部２１３を有し、該支持部２１３は遮蔽部２１１を中心に放射状に延びる形態である（図１（ａ）、図２（ａ）  参照）。
このような形態であることで、遮蔽部２１１がより安定する。ただし、支持部２１３が枠部２１２と遮蔽部２１１とを連結していれば、支持部２１３の数、形状、材質に特に制限はない。
【００３３】
以下、取付手段３について図１〜図２、図４〜図５を用いて詳細に説明する。
【００３４】
本明細書において、取付手段３は調光器具１を水中用照明装置５の筐体５１に取り付けるための手段をいう。取付手段３としては、例えば、ネジ式の取付手段、バヨネット式の取付手段、フリップ式の取付手段を好ましく挙げることができる。
【００３５】
図４に示すとおり、本実施例の調光器具１が備える取付手段３は、ネジ式である。ネジ式の取付手段３を備える調光器具１は、水中環境下でも調光器具１が水中用照明装置５から脱落しにくい。そのため、ネジ式の取付手段３を備える調光器具１は水中用照明装置５に好適に用いることができる。また、筐体５１に取り付けるための取付手段３を備えているため、調光器具１の取り外しをすることができる。なお、取付手段３は、調光器具１を水中用照明装置５の筐体５１に取り付けることのできる手段であれば、その手法、機構等に特に制限はない。
【００３６】
以下、ネジ式の取付手段３を備える調光器具１の取り付け機構に関し、より好ましい構成を説明する。
【００３７】
本実施例において、調光器具１の取り付け機構は、取付手段３が、調光手段２を保持する保持部３１と、ネジ部３２と、保持部３１とネジ部３２との間に位置する環状の固定部材３３と、該固定部材３３をネジ部３２方向に押し込む押込手段３４と、を有し、押込手段３４により固定部材３３をネジ部３２方向に押し込むことにより、ネジ穴５１１が設けられた水中用照明装置５に取り付けた調光器具１の回動を固定することを特徴とする（図１、図２、図４〜図６  参照）。
このような形態の調光器具１によれば、ネジ穴５１１の程度の異なる水中用照明装置５に対しても調光器具１の回動を所望の位置で固定することができる（図４〜図６  参照）。
【００３８】
なお、固定部材３３の内壁には凹凸部３３１が設けられている（図２（ｂ）  参照）。
固定部材３３の内壁に凹凸部３３１が設けられていることで、海中で使用した後の洗浄のときに、より効率よく塩水を洗い流すことができる。そのため、凹凸部３３１が設けられている固定部材３３を備える調光器具１は、水中用照明装置５により好適に用いることができる。
なお、固定部材３３は、調光器具１の回動を固定することができれば、形状、大きさ、材質に特に制限はない。
【００３９】
また、本実施例において、押込手段３４はねじ式である（図５  参照）。押込手段３４がねじ式であることで、調光器具１の回動を所望の位置でより確実に固定することができる（図４〜図６  参照）。
なお、押込手段３４は、固定部材３３を押し込み調光器具１の回動を固定することができれば、形状、大きさ、材質に特に制限はない。
【００４０】
以下、図４、図６を参照し、調光器具１の回動を固定する手法についてより詳細に説明する。
【００４１】
まず、図６（ａ）に示すように、調光器具１が備えるネジ部３２を筐体５１が備えるネジ穴５１１に挿入する。
次に、図６（ｂ）に示すように、ネジ部３２を締め終わるところで、調光器具１を所望の向きに設定する。
そして、図６（ｃ）に示すように、押込手段３４を用いて固定部材３３をネジ部３２方向に押し込み、筐体５１に固定部材３３をあてがうことで、調光器具１の回動を固定することができる。
【００４２】
また、本実施例の調光器具１は、さらに、調光手段２と取付手段３とを連結するフリップアップ式の着脱手段４を備える。（図１〜図２、図７  参照）。
【００４３】
以下、フリップアップ式の着脱手段４を備える調光器具１の着脱機構に関し、より好ましい構成について詳細に説明する。
【００４４】
フリップアップ式の着脱手段４を備える調光器具１によれば、調光手段２の切替えを簡便に行うことができるため、光線の切替えをより簡便に行うことができる。
ただし、着脱手段４は調光手段２の切替えを行うことができるものであればよく、他の着脱手段４としては、バヨネット式の着脱手段４、ネジ式の着脱手段４を好ましく挙げることができる。
【００４５】
本実施例において、二つの調光手段２がフリップアップ式の着脱手段４により取付手段３とそれぞれ連結されている。二つの調光手段２がフリップアップ式の着脱手段４により取付手段３とそれぞれ連結されていることで、簡便に三種の光線の切替えができる調光器具１を提供することができる。
ただし、着脱手段４により連結されている調光手段２の数は二つに限られず、一又は二以上の調光手段２がフリップアップ式の着脱手段４により取付手段３とそれぞれ連結されている形態であってもよい。
【００４６】
本実施例において、調光器具１の着脱機構は、調光手段２に、４角柱の角柱部２３が設けられ、取付手段３に、バネ材３５１を含む押し子３５が設けられ、着脱手段４は、押し子３５が角柱部２３の壁面を押し込むことができる位置に、該角柱部２３を回動可能に保持するよう、各調光手段２と取付手段３とを連結するフリップアップ式の着脱手段４であり、角柱部２３の壁面を押し子３５が押込むことにより、調光手段２の位置を固定することを特徴とする。
【００４７】
角柱部２３が４角柱であることで、光線に緩衝しない位置に調光手段２を固定することができる。
ただし、角柱部２３は必ずしも４角柱である必要はなく、必要に応じて、３角柱、５角柱の角柱部２３を用いることができる。
【００４８】
また、必ずしも調光手段２に角柱部２３が設けられ、取付手段３にバネ材３５１を含む押し子３５が設けられている構成である必要はなく、例えば、取付手段３に角柱部２３が設けられ、調光手段２にバネ材３５１を含む押し子３５が設けられている形態であってもよい。
【００４９】
なお、本実施例において、調光器具１は異なる部品を組み合わせることにより形成されている。ただし、本発明の調光器具は必要に応じて複数の部品が一体成型されていてもよい。
【産業上の利用可能性】
【００５０】
本発明は、調光器具に応用することができる。
【符号の説明】
【００５１】
１        調光器具
２        調光手段
２１      集光手段
２１１    遮蔽部
２１２    枠部
２１３    支持部
２２      拡散手段
２３      角柱部
３        取付手段
３１      保持部
３２      ネジ部
３３      固定部材
３３１    凹凸部
３４      押込手段
３５      押し子
３５１    バネ材
４        着脱手段
５        水中用照明装置
５１      筐体
５１１    ネジ穴
５２      光源
５３      防水ガラス
Ａ        スポットビーム光
Ｂ        中広角配光
【図１】
2019117755.tif 000003
【図２】
2019117755.tif 000004
【図３】
2019117755.tif 000005
【図４】
2019117755.tif 000006
【図５】
2019117755.tif 000007
【図６】
2019117755.tif 000008
【図７】
2019117755.tif 000009